(57)【要約】【課題】持ち運ぶ際にも内容物が漏れ出すことがない容器の蓋を提供すること。【解決手段】天面部１２の呑み口１４の反対側に、容器側壁に沿って上昇する内容液およびその跳ね返りを防止する防液壁部１５を下方に突き出して形成する一方、この防液壁部１５の上面部１６に容器内外と連通する貫通孔１７を形成する。  これにより、防液壁部１５を形成して容器側壁に沿って上昇したり、跳ね返っても、その上面部１６に形成した貫通孔１７にいたらないようにすることで、貫通孔１７からの内容液の漏れ出しを防止できるようにしている。【選択図】図１
2007099370.tif 000002
【特許請求の範囲】
【請求項１】
容器の上端開口部を覆って嵌着され天面部外周縁部に呑み口がシール状態で設けられる容器の蓋であって、
前記天面部の前記呑み口の反対側に、前記容器側壁に沿って上昇する内容液およびその跳ね返りを防止する防液壁部を下方に突き出して形成する一方、この防液壁部の上面部に前記容器内外と連通する貫通孔を形成してなることを特徴とする容器の蓋。
【請求項２】
前記防液壁部を円形ないし略Ｕ字状に形成してなることを特徴とする請求項１記載の容器の蓋。
【請求項３】
前記防液壁部を、前記天面部から前記蓋の下端縁までの範囲の高さに形成してなることを特徴とする請求項1または２記載の容器の蓋。
【請求項４】
前記防液壁部を円形に形成する場合の直径を少なくとも２５ｍｍ以上としてなることを特徴とする請求項１〜３のいずれかに記載の容器の蓋。
【請求項５】
前記防液壁部の上面部に形成する貫通孔を、前記呑み口の反対位置を中心とした両側９０度の範囲で、前記蓋中心より前方に形成してなることを特徴とする請求項1〜４のいずれかに記載の容器の蓋。
【請求項６】
前記防液壁部の上面部の呑み口の反対側の内側５ｍｍ以内に前記貫通孔を形成してなることを特徴とする請求項1〜５のいずれかに記載の容器の蓋。
【請求項７】
前記蓋が真空圧空成形または射出成形で一体成形されてなることを特徴とする請求項1〜６のいずれかに記載の容器の蓋。
【発明の詳細な説明】
【技術分野】
【０００１】
この発明は、容器の蓋に関し、コーヒーなどのホット飲料を持ち帰る場合に蒸気抜きの貫通孔から内容液がこぼれ出ないようにしたものである。
【背景技術】
【０００２】
コーヒーショップなどで販売されるホット飲料を持ち帰る場合には、容器の開口部を覆うように蓋を被せることが行われており、持ち帰った後、そのまま飲めるように、蓋の外縁部にあらかじめ呑み口を形成し、持ち運ぶ間はシール状態としておき、呑む時に開口するようにしたものが、種々提案されている（特許文献1、２など参照）。
【０００３】
また、このような容器の蓋の一例は、図７に示すように、略有底円筒状の蓋本体１の外周下端部に容器への嵌着部２が形成され、天面部３には、外周部に環状で上方に突き出す有底の突出円筒部４が形成され、その上面部４ａの一部分を他の部分より高くして呑み口５が貫通して形成されるとともに、突出円筒部４の内側の天面部３は、呑み口５側が最も低く傾斜させてあり、この傾斜させた天面部３の最も高い呑み口５の反対位置には、容器にホット飲料を入れる際に発生する蒸気を逃がしたり、呑む場合のホット飲料と空気との置換のため小さな蒸気抜きの貫通孔６が設けてある。
【特許文献１】実公平７−１０６１０号公報
【特許文献２】実用新案登録第２６００７２３号公報
【発明の開示】
【発明が解決しようとする課題】
【０００４】
ところが、このような容器の蓋では、ホット飲料を入れたまま持ち運ぶ間に、ホット飲料の液面が揺れて波が発生し、これによって蒸気抜きの貫通孔からホット飲料が漏れるという問題がある。
【０００５】
この蒸気抜きの貫通孔からの漏れまで問題としている容器の蓋はこれまでになく、このような問題を解消できる容器の蓋の開発が望まれている。
【０００６】
この発明は、上記従来技術の問題点と要望に鑑みてなされたもので、持ち運ぶ際にも内容物が漏れ出すことがない容器の蓋を提供しようとするものである。
【課題を解決するための手段】
【０００７】
かかる従来技術の課題を解決するこの発明の請求項１記載の容器の蓋は、容器の上端開口部を覆って嵌着され天面部外周縁部に呑み口がシール状態で設けられる容器の蓋であって、前記天面部の前記呑み口の反対側に、前記容器側壁に沿って上昇する内容液およびその跳ね返りを防止する防液壁部を下方に突き出して形成する一方、この防液壁部の上面部に前記容器内外と連通する貫通孔を形成してなることを特徴とするものである。
【０００８】
この容器の蓋によれば、天面部の呑み口の反対側に、容器側壁に沿って上昇する内容液およびその跳ね返りを防止する防液壁部を下方に突き出して形成する一方、この防液壁部の上面部に容器内外と連通する貫通孔を形成してあり、防液壁部を形成して容器側壁に沿って上昇したり、跳ね返っても、その上面部に形成した貫通孔にいたらないようにすることで、貫通孔からの内容液の漏れ出しを防止できるようにしている。
【０００９】
また、この発明の請求項２記載の容器の蓋は、請求項１記載の構成に加え、前記防液壁部を円形ないし略Ｕ字状に形成してなることを特徴とするものである。
【００１０】
この容器の蓋によれば、前記防液壁部を円形ないし略Ｕ字状に形成してあり、円形ないし略Ｕ字状の防液壁部によってあらゆる方向の液揺れに対してその上面部の貫通孔からの内容液の漏れ出しを防止できるようにしている。
【００１１】
さらに、この発明の請求項３記載の容器の蓋は、請求項1または２記載の構成に加え、前記防液壁部を、前記天面部から前記蓋の下端縁までの範囲の高さに形成してなることを特徴とするものである。
【００１２】
この容器の蓋によれば、前記防液壁部を、前記天面部から前記蓋の下端縁までの範囲の高さに形成してあり、蓋の天面部から下端縁までの範囲に形成した防液壁部によって貫通孔からの漏れ出しを防止できるとともに、蓋のスタック性なども確保できるようにしている。
【００１３】
また、この発明の請求項４記載の容器の蓋は、請求項１〜３のいずれかに記載の構成に加え、前記防液壁部を円形に形成する場合の直径を少なくとも２５ｍｍ以上としてなることを特徴とするものである。
【００１４】
この容器の蓋によれば、前記防液壁部を円形に形成する場合の直径を少なくとも２５ｍｍ以上としており、直径を２５ｍｍ以上とすることで、その上面部の貫通孔からの内容液の漏れ出しを防止するようにしている。
【００１５】
さらに、この発明の請求項５記載の容器の蓋は、請求項1〜４のいずれかに記載の構成に加え、前記防液壁部の上面部に形成する貫通孔を、前記呑み口の反対位置を中心とした両側９０度の範囲で、前記蓋中心より前方に形成してなることを特徴とするものである。
【００１６】
この容器の蓋によれば、前記防液壁部の上面部に形成する貫通孔を、前記呑み口の反対位置を中心とした両側９０度の範囲で、前記蓋中心より前方に形成するようにしており、かかる範囲の貫通孔により、一層有効に内容物の漏れ出しを防止しながら、内容物充填時の蒸気抜きや飲む際の容器の傾きによる閉鎖や漏れも防止し、有効に機能させるようになる。
【００１７】
また、この発明の請求項６記載の容器の蓋は、請求項1〜５のいずれかに記載の構成に加え、前記防液壁部の上面部の呑み口の反対側の内側５ｍｍ以内に前記貫通孔を形成してなることを特徴とするものである。
【００１８】
この容器の蓋によれば、前記防液壁部の上面部の呑み口の反対側の内側５ｍｍ以内に前記貫通孔を形成しており、かかる範囲の貫通孔により、一層完全に内容物の漏れ出しを防止しながら、内容物充填時の蒸気抜きや飲む際の容器の傾きによる閉鎖や漏れも防止し、有効に機能させるようになる。
【００１９】
さらに、この発明の請求項７記載の容器の蓋は、請求項1〜６のいずれかに記載の構成に加え、前記蓋が真空圧空成形または射出成形で一体成形されてなることを特徴とするものである。
【００２０】
この容器の蓋によれば、前記蓋が真空圧空成形または射出成形で一体成形されており、効率的に成形して蓋を得ることができるようになる。
【発明の効果】
【００２１】
この発明の請求項１記載の容器の蓋によれば、天面部の呑み口の反対側に、容器側壁に沿って上昇する内容液およびその跳ね返りを防止する防液壁部を下方に突き出して形成する一方、この防液壁部の上面部に容器内外と連通する貫通孔を形成したので、内容液がゆれても容器側壁に沿って上昇したり、跳ね返える内容液を防液壁部でその上面部に形成した貫通孔にいたらないようにすることができ、貫通孔からの内容液の漏れ出しを防止することができる。
【００２２】
また、この発明の請求項２記載の容器の蓋によれば、前記防液壁部を円形ないし略Ｕ字状に形成したので、円形ないし略Ｕ字状の防液壁部によってあらゆる方向の液揺れに対してその上面部の貫通孔からの内容液の漏れ出しを防止することができる。
【００２３】
さらに、この発明の請求項３記載の容器の蓋によれば、前記防液壁部を、前記天面部から前記蓋の下端縁までの範囲の高さに形成したので、蓋の天面部から下端縁までの範囲に形成した防液壁部によって貫通孔からの漏れ出しを防止することができるとともに、蓋のスタック性なども確保することができる。
【００２４】
また、この発明の請求項４記載の容器の蓋によれば、前記防液壁部を円形に形成する場合の直径を少なくとも２５ｍｍ以上としたので、直径が２５ｍｍ以上の上面部で、貫通孔からの内容液の漏れ出しを有効に防止することができる。
【００２５】
さらに、この発明の請求項５記載の容器の蓋によれば、前記防液壁部の上面部に形成する貫通孔を、前記呑み口の反対位置を中心とした両側９０度の範囲で、前記蓋中心より前方に形成するようにしたので、かかる範囲の貫通孔により、一層有効に内容物の漏れ出しを防止しながら、内容物充填時の蒸気抜きや飲む際の容器の傾きによる閉鎖や漏れも防止でき、貫通孔を有効に機能させることができる。
【００２６】
また、この発明の請求項６記載の容器の蓋によれば、前記防液壁部の上面部の呑み口の反対側の内側５ｍｍ以内に前記貫通孔を形成したので、かかる範囲の貫通孔により、一層完全に内容物の漏れ出しを防止しながら、内容物充填時の蒸気抜きや飲む際の容器の傾きによる閉鎖や漏れも防止でき、管通行を完全に機能させることができる。
【００２７】
さらに、この発明の請求項７記載の容器の蓋によれば、前記蓋が真空圧空成形または射出成形で一体成形したので、効率的に成形して蓋を得ることができる。
【発明を実施するための最良の形態】
【００２８】
以下、この発明の実施の形態について図面を参照して詳細に説明する。  
図１は、この発明の容器の蓋の一実施の形態にかかる平面図およびＡ−Ａ断面図である。
【００２９】
この容器の蓋１０（以下、単に蓋１０とする。）は、例えばホットコーヒー、ホットココア、ホットチョコまたはスープなどのホット飲料が入れられるカップ状の容器の上端開口部に被せて持ち運んだり、そのまま持ち帰る場合に使用されるもので合成樹脂シートを用いる真空圧空成形などで成形される。
【００３０】
この蓋１０は、略有底円筒状に形成されて下方に開口する外周下端部に容器への嵌着部１１が断面略逆Ｕ字状に形成され、容器の上端開口部の膨らんだ部分に嵌着して内外周壁面１１ａ，１１ｂで挟むようにしてあり、外周壁面１１ｂに内側に突き出す係止部１１ｃが円周方向に沿い、等間隔に複数形成され、簡単に外れないようにしてある。
【００３１】
この蓋１０の嵌着部１１の内周側の天面部１２には、外周部に上方に突き出す有底の突出円筒部１３が形成され、この突出円筒部１３の略水平な上面部１３ａが環状とされ、その一部分、例えば中心角で略９０度の部分を他の部分より高くして略水平面に呑み口１４が形成され、呑み口１４の内側壁がほぼ垂直な平面１４ａとして窪ませてある。
【００３２】
この呑み口１４は、ホット飲料を飲む際に開口できるように貫通して形成した後、シールを貼って塞いだり、予め形成した薄肉部で連結された切込みで切り離すことができるように塞いだり、別に用意した栓で塞ぐようにして呑むまでは、シール状態とし、呑む際に開口できるようにしてある。
【００３３】
さらに、この突出円筒部１３の環状の上面部１３ａの内側と呑み口１４の内側壁の平面１４ａとの間に下方に突き出す防液壁部１５が平面視略Ｕ字状に形成されており、この防液壁部１５は、平面視略Ｕ字状の外側壁１５ａが円筒側面の一部とされて呑み口１４の内側の垂直壁１４ａと兼用され、内側壁１５ｂが平面視Ｕ字状の凹部１５ｃを介して円筒側面の一部とされて構成され、その結果、平面視Ｕ字状のＵの開口部分に相当する直線部分には、凹部１５ｃおよび内側壁１５ｂが存在しない状態となっている。
【００３４】
そして、防液壁部１５の内側壁の上端縁と呑み口１４の内側壁の平面１４ａの下端縁との間が呑み口側が低く、呑み口１４と反対側が高い傾斜天面部１６としてあり、平面視略Ｕ字状に形成され、この傾斜天面部１６で蓋１０の最も内側が塞がれることになる。
【００３５】
この傾斜天面部１６の呑み口１４の反対側である容器中心を挟んで対向する反対位置には、容器にホット飲料を入れる際に発生する蒸気を逃がしたり、ホット飲料を呑む場合のホット飲料と空気との置換のため小さな蒸気抜きの貫通孔１７が貫通して形成してある。
【００３６】
このように構成した蓋１０によれば、ホット飲料を入れた容器の上端開口部を塞ぐように嵌着部１１で嵌着した状態では、容器を持ち運ぶと内容液がゆれて容器側壁に沿って上昇して蓋１０で跳ね返るようになるが、内容液の漏れ出しが問題となる貫通孔１７の外側に防液壁部１５が下方に突き出して形成してあるので、防液壁部１５の外側壁１５ａである円筒側面とその内側の凹部１５ｃを介して設けた内側壁１５ｂである円筒側面とで内容液の上昇や跳ね返りが抑えられて貫通孔１７の内側部分に内容液が直接流れることも防止され、持ち運んだり、持ち帰る場合でも貫通孔１７からの漏れ出しを防止することができる。
【００３７】
次に、この発明の容器の蓋の他の一実施の形態について、図２により説明するが、すでに説明した蓋１０と同一部分には、同一記号を記し、説明を省略する。
【００３８】
この容器の蓋１０Ａ（以下、単に蓋１０Ａとする）では、防液壁部１５Ａを環状に形成したもので、すでに説明した平面視Ｕ字状のＵの開口部を結ぶ直線部分にも外側壁１５ａ，内側壁１５ｂおよびその間の凹部１５ｃを設けることで、防液壁部１５Ａが平面視略Ｕ字状で環状に形成されている。  
なお、他の構成は、すでに説明した蓋１０と同一である。
【００３９】
このように構成した蓋１０Ａによれば、蓋１０と同様に、ホット飲料を入れた容器の上端開口部を塞ぐように嵌着部１１で嵌着した状態では、容器を持ち運ぶと内容液がゆれて容器側壁に沿って上昇して蓋１０Ａで跳ね返るようになるが、内容液の漏れ出しが問題となる貫通孔１７の外側に環状に防液壁部１５Ａが下方に突き出して内外壁１５ａ，１５ｂが二重に形成してあるので、防液壁部１５Ａの外側壁１５ａである環状の円筒側面とその内側の環状の凹部１５ｃを介して設けた内側壁１５ｂである環状の円筒側面とであらゆる方向の内容液の上昇や跳ね返りが抑えられ、貫通孔１７の内側部分に内容液が直接流れることも防止され、持ち運んだり、持ち帰る場合でも貫通孔１７からの漏れ出しを一層有効に防止することができる。
【００４０】
次に、この発明の容器の蓋のさらに他の一実施の形態について、図３により説明するが、すでに説明した蓋１０Ａと同一部分には、同一記号を記し、説明を省略する。
【００４１】
この容器の蓋１０Ｂ（以下、単に蓋１０Ｂとする）では、防液壁部１５Ｂを環状に形成するとともに、その下方への突き出し高さを、蓋１０Ｂの全高さまで最大限高くしたもので、蓋１０Ｂ単体でのスタック性を確保できるようにしたものである。
【００４２】
すなわち、すでに説明した蓋１０Ａでは、蓋１０Ａの嵌着部１１の外周壁面１１ｂの下端より僅かに上までの高さの防液壁部１５Ａとしたのに対し、この蓋１０Ｂでは、嵌着部１１の外周壁部１１ｂの下端まで深くして最大限の高さとした防液壁部１５Ｂとしてある。
【００４３】
また、蓋１０に対しては、平面視略Ｕ字状のＵの開口部を結ぶ直線部分にも外側壁１５ａ，内側壁１５ｂおよびその間の凹部１５ｃを設けることで、防液壁部１５Ｂが平面視略Ｕ字状で環状に形成されている。  
なお、他の構成は、すでに説明した蓋１０Ａと同一である。
【００４４】
このように構成した蓋１０Ｂによれば、蓋１０Ａと同様に、ホット飲料を入れた容器の上端開口部を塞ぐように嵌着部１１で嵌着した状態では、容器を持ち運ぶと内容液がゆれて容器側壁に沿って上昇して蓋１０Ｂで跳ね返るようになるが、内容液の漏れ出しが問題となる貫通孔１７の外側に環状に防液壁部１５Ｂが一層高く下方に突き出して内外壁１５ａ，１５ｂが二重に形成してあるので、防液壁部１５Ｂの外側壁１５ａである環状の円筒側面とその内側の環状の凹部１５ｃを介して設けた内側壁１５ｂである環状の円筒側面とであらゆる方向の内容液の上昇や跳ね返りが一層抑えられ、貫通孔１７の内側部分に内容液が直接流れることも防止され、持ち運んだり、持ち帰る場合でも貫通孔１７からの漏れ出しをさらに有効に防止することができる。
【００４５】
次に、この発明の容器の蓋の他の一実施の形態について、図４により説明するが、すでに説明した蓋１０と同一部分には、同一記号を記し、説明を省略する。
【００４６】
この容器の蓋１０Ｃ（以下、単に蓋１０Ｃとする）では、防液壁部１５Ｃを防液壁部１０に比べて約半分程度に低く（凹部１５ｃを浅く）したもので、すでに説明した蓋１０と同様に、平面視Ｕ字状のＵの開口部を結ぶ直線部分には、内側壁１５ｂおよび凹部１５ｃが存在しないものである。  
なお、他の構成は、すでに説明した蓋１０と同一である。
【００４７】
このように構成した蓋１０Ｃによっても、蓋１０と同様に、ホット飲料を入れた容器の上端開口部を塞ぐように嵌着部１１で嵌着した状態では、容器を持ち運ぶと内容液がゆれて容器側壁に沿って上昇して蓋１０Ｃで跳ね返るようになるが、内容液の漏れ出しが問題となる貫通孔１７の外側に防液壁部１５Ｃが下方に突き出して形成してあるので、内容液の上昇や跳ね返りが抑えられ、貫通孔１７の内側部分に内容液が直接流れることも防止され、持ち運んだり、持ち帰る場合でも貫通孔１７からの漏れ出しを一層有効に防止することができる。
【００４８】
次に、この発明の容器の蓋のさらに他の一実施の形態について、図５，６により説明するが、すでに説明した蓋１０Ａと同一部分には、同一記号を記し、説明を省略する。
【００４９】
この容器の蓋１０Ｄ（以下、単に蓋１０Ｄとする）では、防液壁部１５Ａを円形の環状に形成したもので、すでに説明した平面視Ｕ字状に代え、円形の外側壁１５ａ，内側壁１５ｂおよびその間の凹部１５ｃを設けることで、防液壁部１５Ｄが平面視円形状の環状に形成してある。
【００５０】
そして、図５の場合には、内側壁１５ｂの直径が容器の上端開口部の直径（約８０ｍｍ）に対して、約３０％の２５ｍｍとされ、図６の場合には、約４４％の３５ｍｍとしてあり、内側壁１５ｂの中心を呑み口１４の反対側にずらして形成してある。  
なお、他の構成は、すでに説明した蓋１０と同一である。
【００５１】
このように構成した蓋１０Ｄによれば、蓋１０と同様に、ホット飲料を入れた容器の上端開口部を塞ぐように嵌着部１１で嵌着した状態では、容器を持ち運ぶと内容液がゆれて容器側壁に沿って上昇して蓋１０Ｄで跳ね返るようになるが、内容液の漏れ出しが問題となる貫通孔１７の外側に円形状で環状に防液壁部１５Ｄが下方に突き出して内外壁１５ａ，１５ｂが二重に形成してあるので、防液壁部１５Ｄの外側壁１５ａである円形状で環状の円筒側面とその内側の環状の凹部１５ｃを介して設けた内側壁１５ｂである円形状で環状の円筒側面とであらゆる方向の内容液の上昇や跳ね返りが抑えられ、貫通孔１７の内側部分に内容液が直接流れることも防止され、持ち運んだり、持ち帰る場合でも貫通孔１７からの漏れ出しを一層有効に防止することができる。
【００５２】
なお、内容物を入れた容器に加速度を与えて揺らすことで、貫通孔からの漏れ出しの有無について行った実験によれば、容器の上端開口部の直径を約８０ｍｍとした場合には、円形状の防液壁部１５Ｄの直径が２５ｍｍ以上ないと、有効に貫通孔１７からの漏れ出しを防止することができないことが分かっている。
【００５３】
なお、上記各実施の形態では、貫通孔１７を防液壁部１５の内側壁１５ｂの内側の傾斜天面部１６の呑み口１４の反対位置である容器の中心を挟んで対向する位置の最も離れた高い位置に形成した場合を図示して説明したが、内容物を入れた容器に加速度を与えて揺らすことで、貫通孔からの漏れ出しの有無について行った実験によれば、呑み口１４の反対位置（容器の中心を通る直径の反対位置すなわち、対角線の交差位置）の両側９０度の範囲で中心より前方側、すなわち、呑み口１４を下にした場合の中心より上側であれば良く、特に内側壁１５ｂから５ｍｍ以内の範囲に貫通孔１７を形成することで、漏れ出しを一層有効に防止することができることが分かっている。
【００５４】
また、上記実施の形態では、合成樹脂シートを用いる真空圧空成形法で成形できることを説明したが、この場合には、シート厚さが０．２〜１．００ｍｍまであれば、成形可能である。  
さらに、真空圧空成形法に限らず、射出成形法で成形するようにしても良い。
【００５５】
また、上記実施の形態では、防液壁部を円形ないし略Ｕ字状に形成する場合を例に説明したが、楕円や矩形、多角形など他の形状であっても良く、蓋の形状も円形に限らず、容器の開口部の形状に対応した形状であれば良く、楕円、矩形、多角形などであっても良い。
【図面の簡単な説明】
【００５６】
【図１】この発明の容器の蓋の一実施の形態にかかる平面図およびＡ−Ａ断面図である。
【図２】この発明の容器の蓋の他の一実施の形態にかかる平面図およびＡ−Ａ断面図である。
【図３】この発明の容器の蓋のさらに他の一実施の形態にかかる平面図およびＡ−Ａ断面図である。
【図４】この発明の容器の蓋の他の一実施の形態にかかる平面図およびＡ−Ａ断面図である。
【図５】この発明の容器の蓋のさらに他の一実施の形態にかかる平面図およびＡ−Ａ断面図である。
【図６】この発明の容器の蓋の他の一実施の形態にかかる平面図およびＡ−Ａ断面図である。
【図７】従来の容器の蓋の平面図およびＡ−Ａ断面図である。
【符号の説明】
【００５７】
１０                              容器の蓋
１１                              嵌着部
１１ａ                            内周壁面
１１ｂ                            外周壁面
１１ｃ                            係止部  
１２                              天面部
１３                              突出円筒部
１３ａ                            上面部
１４                              呑み口
１４ａ                            垂直な平面
１５                              防液壁部
１５ａ                            外側壁
１５ｂ                            内側壁
１５ｃ                            凹部
１６                              傾斜天面部
１７                              貫通孔
１０Ａ，１０Ｂ，１０Ｃ，１０Ｄ    蓋
１５Ａ，１５Ｂ，１５Ｃ，１５Ｄ    防液壁部
【図１】
2007099370.tif 000003
【図２】
2007099370.tif 000004
【図３】
2007099370.tif 000005
【図４】
2007099370.tif 000006
【図５】
2007099370.tif 000007
【図６】
2007099370.tif 000008
【図７】
2007099370.tif 000009